(57)【要約】【課題】移動する高齢者等の捜索を行うことができ、かつ、小型の発信端末を高齢者等に所持させても低コストでシステムを構築することのできる捜索支援システムを提供する。【解決手段】捜索支援１００システムを、ネットワークＮＴに接続されたサーバ１０８と、発信端末ＩＤ１１２を発信する発信端末１０２と、発信端末ＩＤ１１２を受信するとともに、サーバ１０８との間で交信を行う複数の受信端末１０４とで構成することにより、上記課題を解決できる。【選択図】図１
2016014966.tif 000002
【特許請求の範囲】
【請求項１】
ネットワークに接続されたサーバと
発信端末ＩＤを発信する発信端末と、
前記発信端末ＩＤを受信するとともに、前記サーバとの間で交信を行う複数の受信端末とを備える捜索支援システム。
【請求項２】
前記発信端末が発信する前記発信端末ＩＤには、Bluetooth規格が使用されている
請求項１に記載の捜索支援システム。
【請求項３】
前記受信端末は、前記発信端末からの前記発信端末ＩＤを受信するのみで、前記発信端末との間で交信を行わないことを特徴とする
請求項２に記載の捜索支援システム。
【請求項４】
前記受信端末は、捜索支援プログラムを含む携帯電話等である
請求項１から３のいずれか１項に記載の捜索支援システム。
【請求項５】
受信端末に、
発信端末からの発信端末ＩＤを受信するステップと、
ネットワークを介して前記発信端末ＩＤをサーバに送信するステップとを実行させるためのプログラム。
【請求項６】
前記受信端末に、前記発信端末ＩＤを受信させた後、かつ、前記発信端末ＩＤを前記サーバに送信させる前に、
前記受信端末に、更に、
前記発信端末ＩＤを被捜索者リストに記載された被捜索者発信端末ＩＤと突き合わせるステップと、
前記発信端末ＩＤが前記被捜索者発信端末ＩＤに一致する場合に、被捜索者発見情報を前記サーバに送信するステップとを実行させる
請求項５に記載のプログラム。
【請求項７】
前記発信端末からの前記発信端末ＩＤには、Bluetooth規格が使用されている
請求項５または６に記載のプログラム。
【請求項８】
前記受信端末には、前記発信端末ＩＤを受信させるのみで、前記発信端末との間で交信を行わせないことを特徴とする
請求項７に記載のプログラム。
【発明の詳細な説明】
【技術分野】
【０００１】
本発明は、例えば徘徊高齢者の捜索に使用可能な捜索支援システム、および捜索支援プログラムに関する。
【背景技術】
【０００２】
従前より、例えば高齢者に異常が発生したことにより、ある位置から移動できないような場合等において、この異常を検出して監視者に通知することができるシステムが開発されている（例えば、特許文献１）。
【０００３】
特許文献１に開示されたシステムによれば、高齢者等が持つ携帯端末が所定の周期で自己の位置を確認し、自己の位置が所定の時間にわたって変化しない場合、監視者が持つ他の携帯端末に異常が発生した旨の通知を行うようになっている。これにより、監視者は、高齢者等に発生した異常を知ることができる。
【先行技術文献】
【特許文献】
【０００４】
【特許文献１】特開２００８−３９９２号公報
【発明の概要】
【発明が解決しようとする課題】
【０００５】
しかしながら、特許文献１に開示されたシステムでは、携帯端末を持った高齢者等が移動しない場合のみを異常として検知できるだけであった。このため、例えば徘徊のおそれのある高齢者等に当該システムを適用しても、高齢者等は移動（徘徊）することから、徘徊を異常として検知できなかった。
【０００６】
また、キャリア（携帯電話会社）の無線基地局と通信可能な携帯電話やスマートフォン（以下、「携帯電話等」という。）を高齢者等が常に所持しておく必要があった。このため、高齢者等が携帯電話等を常に所持することを嫌がったり、携帯電話等をどこかに置き忘れたりした場合には、当該システムを使用できなかった。
【０００７】
さらに言えば、上記のような問題の解決を目的として、携帯電話等ではなく、常に所持し易い「発信のみができる端末」（以下、「発信端末」という。）を高齢者等に所持させた場合、今度は、発信端末からの信号を受信できる基地局が必要になる。所持し易いように発信端末を小型化すると、当該発信端末からの信号が届く距離は短くなる傾向にある。このため、高齢者等が徘徊するおそれのあるエリアをカバーするために必要な基地局が多数必要となり、システムを構築するのに必要なコストが膨大になってしまう。
【０００８】
本発明は、かかる問題を解決するためになされたものであり、その目的は、移動する高齢者等の捜索を行うことができ、かつ、小型の発信端末を高齢者等に所持させても低コストでシステムを構築することのできる捜索支援システムおよび捜索支援プログラムを提供することにある。
【課題を解決するための手段】
【０００９】
この発明のある局面に従うと、ネットワークに接続されたサーバと、発信端末ＩＤを発信する発信端末と、発信端末ＩＤを受信するとともに、サーバとの間で交信を行う複数の受信端末とを備える捜索支援システムが提供される。
【００１０】
好ましくは、発信端末が発信する発信端末ＩＤには、Bluetooth（登録商標。以下、同じ）規格が使用されている。
【００１１】
好ましくは、受信端末は、発信端末からの発信端末ＩＤを受信するのみで、発信端末との間で交信を行わない。
【００１２】
好ましくは、受信端末は、捜索支援プログラムを含む携帯電話等である。
【００１３】
この発明の他の局面に従うと、受信端末に、発信端末からの発信端末ＩＤを受信するステップと、ネットワークを介して発信端末ＩＤをサーバに送信するステップとを実行させるためのプログラムが提供される。
【００１４】
好ましくは、受信端末に、前記発信端末ＩＤを受信させた後、かつ、前記発信端末ＩＤを前記サーバに送信させる前に、受信端末に、更に、発信端末ＩＤを被捜索者リストに記載された被捜索者発信端末ＩＤと突き合わせるステップと、発信端末ＩＤが被捜索者発信端末ＩＤに一致する場合に、発信端末ＩＤ等の被捜索者発見情報をサーバに送信するステップとを実行させる。
【００１５】
好ましくは、発信端末からの発信端末ＩＤには、Bluetooth規格が使用されている。
【００１６】
好ましくは、受信端末には、発信端末ＩＤを受信させるのみで、発信端末との間で交信を行わせない。
【発明の効果】
【００１７】
この発明によれば、小型で信号が届く距離が短い発信端末とサーバとの間を、受信端末が中継するようになっている。このため、発信端末と比べて長距離でサーバとの交信が可能であり、かつ、現在広く普及している携帯電話等を受信端末とし、これら受信端末をあたかも「移動式基地局」として使用することにより、複数の受信端末で発信端末からの発信端末ＩＤを受信する「エリア」を構成できるとともに、高価な固定基地局の追加が不要となる。これにより、小型の発信端末を用いて、広いエリアで信頼性が高く、かつ、低コストの検索支援システムが提供される。
【図面の簡単な説明】
【００１８】
【図１】本実施の形態にかかる捜索支援システムの全体構成を示す図である。
【図２】本実施の形態にかかる捜索支援システムに用いられる発信端末１０２の典型的な構成を示す図である。
【図３】本実施の形態にかかる捜索支援システムに用いられる受信端末１０４の典型的な構成を示す図である。
【図４】本実施の形態にかかる捜索支援システムに用いられるサーバ１０８の典型的な構成を示す図である。
【図５】本実施の形態にかかる捜索支援システムに用いられる捜索依頼者用端末１１０の典型的な構成を示す図である。
【図６】本実施の形態にかかる捜索支援システムに用いられるサーバ用リストＬＳの一例を示す図である。
【図７】本実施の形態にかかる捜索支援システムに用いられる被捜索者リストＬの一例を示す図である。
【図８】本実施の形態にかかる捜索支援システムを用いた捜索手順を示すフローチャートである。
【図９】本実施の形態にかかる捜索支援システムを用いた捜索手順を示すフローチャートである。
【図１０】他の実施の形態にかかる捜索支援システムを用いた捜索手順を示すフローチャートである。
【図１１】他の実施の形態にかかる捜索支援システムを用いた捜索手順を示すフローチャートである。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜捜索支援システムの構成＞
【００２０】
図１を参照して、本実施の形態にかかる捜索支援システム１００の全体構成について説明する。捜索支援システム１００は、発信端末１０２と、受信端末１０４と、固定基地局１０６と、サーバ１０８と、捜索依頼者用端末１１０とを備えている。なお、本実施の形態では、高齢者等を捜索する捜索支援システム１００について説明するが、捜索の対象は高齢者等の人間に限定されず、例えば、ペット、車、あるいは貴重品等の捜索にも適用できる。
【００２１】
発信端末１０２は、被捜索者Ｈである高齢者等が所持する端末であり、その発信端末１０２に固有の発信端末ＩＤ１１２を送信する機能を有している。
【００２２】
発信端末１０２は、高齢者等があまり意識せずに所持できる（身につけられる）ものであることが好適であり、例えば、キーホルダー、ストラップ、服のボタン、メガネ、靴、杖、帽子、お守り、数珠などが考えられるが、これに限定されるものではない。また、高齢者等が所持する通信機能を有する電子機器を発信端末１０２として利用することも考えられる。ひとりの高齢者等が複数の発信端末１０２を所持することにより、捜索の確実性の向上が期待できる。
【００２３】
また、発信端末１０２から送信される発信端末ＩＤ１１２には、Bluetooth規格を使用するのが好適である。Bluetooth規格は、免許なしで自由に使うことができる２．４５ＧＨｚ帯の電波を利用し、１Ｍｂｐｓ程度の速度で通信を行うことのできる近／短距離無線通信規格である。Bluetooth規格は、赤外線を利用するＩｒＤＡ（Infrared Data Association）と異なり、機器間の距離が１０ｍ以内であれば、あいだに障害物があっても利用することができる。また、Bluetooth規格を備える装置としては、一般に０．５平方インチの小型のトランシーバーが利用されるため、ＩｒＤＡを採用した装置に比べて消費電力が小さく、製造コストも低く抑えられる。なお、Bluetooth規格に代えて、通信確立手順において相互の機器のＩＤをやり取りする規格（ZigBee、ＵＷＢ、ＲＦ−ＩＤ等の近／近距離無線通信規格等）を使用することもできる。
【００２４】
図２には、発信端末１０２の典型的な構成を示す。発信端末１０２は、発信端末ＩＤ１１２を含む信号を発信する信号発信部１１４と、信号発信部１１４で発信された信号を送信するアンテナ１１６とを備えている。
【００２５】
発信端末１０２に発信端末ＩＤ１１２の送信を実施あるいは停止するスイッチを設けてもよいが、被捜索者Ｈを短期間で発見するためには、発信端末ＩＤ１１２の送信は常時実施されるのが好適である。逆に、発信端末１０２における消費電力を節約するため、発信端末１０２にモーションセンサー等を組み込み、当該発信端末１０２が一定時間移動しない場合、再び移動を開始するまでは信号発信部１１４の動作を停止させたり、タイマー等により送信を一時停止したり、発信端末ＩＤ１１２の送信タイミングを間欠的にしてもよい。また、タイマー等により一時的に発信端末１０２からの発信信号の出力を強くして被捜索者Ｈをすばやく捜索させることも考えられる。例えば、発信端末１０２を所持する高齢者等が脈拍計等のセンサーを所持している場合、当該センサー情報を受信して、高齢者等の健康状態に異常があると思われる場合に、出力を強くする等の使用方法が想定される。
【００２６】
図１に戻って、受信端末１０４は、被捜索者Ｈの捜索に協力する捜索協力者Ｋが所持する端末であり、発信端末１０２から送信された発信端末ＩＤ１１２を含む信号を受信するとともに、固定基地局１０６との間で交信する機能を有している。
【００２７】
受信端末１０４としては、発信端末ＩＤ１１２を受信でき、かつ、固定基地局１０６との間で交信する機能を有していれば、どのような装置でも使用することが可能である。しかし、発信端末ＩＤ１１２にBluetooth規格を使用するのであれば、受信端末１０４としては、当該Bluetooth規格に対応した携帯電話等を使用するのが好適である。一般的に普及している携帯電話等を使用することにより、捜索支援システム１００をより安価で構築できるからである。さらに言えば、捜索協力者Ｋが個人で所有している携帯電話等を受信端末１０４として使用すれば、受信端末１０４本体の費用は実質的に無料となり、捜索支援システム１００をさらに安価で構築できる。捜索協力者Ｋは、自身の携帯電話等に捜索支援プログラムＰをダウンロードして、当該携帯電話等を受信端末１０４として機能させることが考えられる。本実施例において、捜索支援プログラムＰのダウンロードには、当該捜索支援プログラムＰを受信端末１０４に保存する場合の他、サーバ１０８上に保管された捜索支援プログラムＰを受信端末１０４が直接実行する方法等、受信端末１０４で捜索支援プログラムＰを利用する全ての方法が含まれる。
【００２８】
図３には、受信端末１０４の典型的な構成を示す。受信端末１０４は、大略、受信部１１８と、メモリ１２０と、プログラムやデータを記憶できるＨＤ（ハードディスク）やＳＳＤ（ソリッドステートドライブ）等の記憶媒体１２２と、時計１２４と、通信部１２６と、ＧＰＳ（Global Positioning System）受信部１２８と、ＣＰＵ１３０と、表示画面１３１とを備えている。ＧＰＳ受信部１２８に代えて、受信端末１０４の位置を検出する適宜の方法を採用してもよい。
【００２９】
受信部１１８は、発信端末１０２からの発信端末ＩＤ１１２を含む信号を受信する。通信部１２６は、固定基地局１０６との間で通信を行う。ＧＰＳ受信部１２８は、ＧＰＳ衛星ＧからのＧＰＳ信号を受信する。記憶媒体１２２には、後述する被捜索者リストＬ、および、捜索支援プログラムＰが格納されている。なお、被捜索者リストＬは、固定基地局１０６が保持するようにしてもよい。
【００３０】
捜索支援プログラムＰは、受信端末１０４のハードウェアを利用して捜索支援システム１００の一部を稼働させるプログラムであり、予め受信端末１０４にインストールされていてもよいし、受信端末１０４を所持する捜索協力者Ｋがダウンロードすることにより受信端末１０４にインストールされるようにしてもよい。これにより、受信端末１０４が自己増殖的に増加するので、捜索支援システム１００のエリアや有効性、確実性が向上する。
【００３１】
図１に戻って、固定基地局１０６は、インターネット等のネットワークＮＴに接続されているとともに、受信端末１０４と交信を行うものであり、例えば、キャリア（携帯電話会社）の無線基地局が考えられる。通常、１箇所の固定基地局１０６で複数台の受信端末１０４と交信を行うことができる。したがって、各受信端末１０４は、固定基地局１０６を介してネットワークＮＴに接続できる。なお、各受信端末１０４が固定基地局１０６の中継が不要で、直接、サーバ１０８に接続できる場合、固定基地局１０６は不要となる。
【００３２】
サーバ１０８は、ネットワークＮＴに接続されており、被捜索者Ｈの受信端末１０４や捜索依頼者Ｓの捜索依頼者用端末１１０との間で通信を行う。
【００３３】
図４には、サーバ１０８の典型的な構成を示す。サーバ１０８は、大略、メモリ１３２と、プログラムやデータを記憶できるＨＤ（ハードディスク）やＳＳＤ（ソリッドステートドライブ）等の記憶媒体１３４と、時計１３６と、通信部１３８と、ＣＰＵ１４０とを備えている。記憶媒体１３４には、サーバ用リストＬＳが格納されている。通信部１３８は、インターネット等のネットワークＮＴを介して通信を行う。
【００３４】
図１に戻って、捜索依頼者用端末１１０は、捜索依頼者Ｓに操作され、捜索支援システム１００を用いた捜索の依頼を入力するための端末である。徘徊する被捜索者Ｈ（高齢者等）の捜索に捜索支援システム１００を用いる場合、捜索依頼者Ｓとしては、被捜索者Ｈの親族や、警察、自治体、あるいは、徘徊高齢者等の捜索を支援するＮＰＯ等が考えられる。また、捜索依頼者用端末１１０は、受信端末１０４と別に構成されるのが効率的であるが、受信端末１０４を捜索依頼者用端末１１０として使用してもよい。この場合、捜索協力者Ｋが捜索支援システム１００を利用しやすくなり、当該捜索支援システム１００に参加する捜索協力者Ｋの増加が期待できる。
【００３５】
捜索依頼者用端末１１０の典型的な構成は、サーバ１０８の構成と同様であり、図５に示すように、大略、メモリ１４２と、記憶媒体１４４と、時計１４６と、通信部１４８と、ＣＰＵ１５０と、表示画面１５２とを備えている。通信部１４８は、インターネット等のネットワークＮＴを介して通信を行う。
【００３６】
次に、捜索支援システム１００で使用されるサーバ用リストＬＳおよび被捜索者リストＬの例について説明する。図６にはサーバ用リストＬＳを示し、図７には被捜索者リストＬを示す。
【００３７】
サーバ用リストＬＳには、少なくとも、「被捜索者発信端末ＩＤ」が記録されている。また、被捜索者Ｈの個人情報を保護するために、「パスワードＰＷ」を記載するのが望ましい。各「被捜索者発信端末ＩＤ」は、それぞれ個別の「パスワードＰＷ」に紐づけされている。また、これに加えて、「被捜索者発信端末ＩＤ」と紐付けた形で「被捜索者名」を記載してもよい。図６に示す例であれば、「ＩＤ：０００１」から「ＩＤ：０００４」が、被捜索者Ｈである「Ｂさん」に紐づけられている。なお、「ＩＤ：０００１」はＢさんの「時計」、「ＩＤ：０００２」はＢさんの「ネックレス」、「ＩＤ：０００３」はＢさんの「指輪」、「ＩＤ：０００４」はＢさんの「杖」に取り付けられた発信端末１０２から送信される発信端末ＩＤである。つまり、「ＩＤ：０００１」から「ＩＤ：０００４」のいずれかの発信端末ＩＤ１１２を送信する発信端末１０２を捜索することができれば、Ｂさん（被捜索者Ｈ）の居場所が特定できる可能性がある。
【００３８】
さらに、サーバ用リストＬＳに、「被捜索者名」と紐付けた形で「関係者名」および「関係者連絡先」を記載してもよい。この「関係者名」とは、被捜索者Ｈの親族（子供や孫）が考えられる。「関係者名」および「関係者連絡先」は、例えば、被捜索者Ｈの居場所を特定できたときに当該居場所を関係者に通知する場合に使用される。
【００３９】
図７に示す被捜索者リストＬは、各受信端末１０４の記憶媒体１２２内に格納されるリストであり、個人情報保護の観点から、当該被捜索者リストＬには「被捜索者発信端末ＩＤ」のみが記載される。被捜索者リストＬは、捜索すべき被捜索者発信端末ＩＤが増減する度に、サーバ１０８から各受信端末１０４に対して新しいものが送信されるようにしてもよい。また、増減する被捜索者発信端末ＩＤのみがサーバ１０８から各受信端末１０４に送信され、各受信端末１０４で、ＣＰＵ１３０が記憶媒体１２２内に格納された被捜索者リストＬから当該被捜索者発信端末ＩＤを増減させることによって被捜索者リストＬを更新させるようにしてもよい。
【００４０】
＜捜索支援システムを用いた捜索手順＞
次に、実施形態に係る捜索支援システム１００を用いた捜索手順について説明する。以下の捜索手順において、パスワードＰＷを用いた方法を説明するが、個人情報保護や捜索依頼者Ｓ特定の問題がなければ、パスワードＰＷを省略することもできる。捜索支援システム１００を使用するに当たり、予め被捜索者Ｈになる可能性のある高齢者等に発信端末１０２（発信端末１０２が含まれた時計等の物品）を渡し、身につけておいてもらう。これとともに、当該発信端末１０２の発信端末ＩＤ１１２とこれに紐付けたパスワードＰＷとをサーバ１０８に格納されたサーバ用リストＬＳに登録する。必要に応じて、「被捜索者名」、「関係者名」、「関係者連絡先」を被捜索者発信端末ＩＤと紐付けて登録してもよい。
【００４１】
このような状態から、まず図８に示すように、捜索依頼者Ｓが捜索依頼者用端末１１０を用いてサーバ１０８にアクセスし、捜索したい被捜索者発信端末ＩＤとパスワードＰＷを入力する（Ｓ０５１）。
【００４２】
然る後、サーバ１０８のＣＰＵ１４０は、記憶媒体１３４に格納されたサーバ用リストＬＳを参照し、アクセスされた被捜索者発信端末ＩＤを確認する（Ｓ０５２）。このとき、サーバ用リストＬＳに「被捜索者発信端末ＩＤ」および「パスワードＰＷ」のみが記載されている場合（Ｓ０５３で「Ｙｅｓ」）、ＣＰＵ１４０は、メモリ１３２と記憶媒体１３４とを用い、通信部１３８を介して各受信端末１０４に被捜索者発信端末ＩＤの増加を通知する（Ｓ０５４）。なお、サーバ１０８で「被捜索者リストＬ」を更新する場合、当該「被捜索者リストＬ」に新たな「被捜索者発信端末ＩＤ」を追加した後、各受信端末１０４に送信することになる（以下、同様。）。また、サーバ用リストＬＳにおいて、複数の「被捜索者発信端末ＩＤ」と紐付けた形で「被捜索者名」が記載されている場合（Ｓ０５３で「Ｎｏ」）、サーバ１０８は、当該「被捜索者名」に紐付けられた全ての「被捜索者発信端末ＩＤ」について各受信端末１０４に増加通知を行う（Ｓ０５５）。
【００４３】
各捜索協力者Ｋが所持する各受信端末１０４は、ネットワークＮＴおよび固定基地局１０６を介して、その通信部１２６から新しい被捜索者発信端末ＩＤを受け入れる。各受信端末１０４のＣＰＵ１３０は、捜索支援プログラムＰに記載された命令に基づき、記憶媒体１２２に格納された被捜索者リストＬをメモリ１２０上に展開し、受け入れた被捜索者発信端末ＩＤを当該被捜索者リストＬに書き加える。然る後、ＣＰＵ１３０は、更新された被捜索者リストＬを記憶媒体１２２に格納する。このとき、ＣＰＵ１３０は、時計１２４から更新日時を取得し、更新日時を被捜索者リストＬに書き加えるようにしてもよい。なお、サーバ１０８から更新された被捜索者リストＬが送信されてきた場合、各受信端末１０４のＣＰＵ１３０は、捜索支援プログラムＰに記載された命令に基づき、記憶媒体１２２に格納されていた古い被捜索者リストＬを破棄した後、更新された被捜索者リストＬを記憶媒体１２２に格納する。
【００４４】
次に、図９を用いて、受信端末１０４が発信端末１０２からの発信端末ＩＤ１１２の受信を開始してから、サーバ１０８が被捜索者Ｈの捜索を終了するまでの手順について説明する。
【００４５】
各捜索協力者Ｋが所持する受信端末１０４のＣＰＵ１３０が、捜索支援プログラムＰに記載された命令に基づき、受信部１１８を稼働させることにより、発信端末１０２から発信される発信端末ＩＤ１１２の受信を開始する（Ｓ１０１）。すなわち、捜索支援システム１００における発信端末ＩＤ１１２にBluetooth規格が使用される場合、受信端末１０４は、Bluetooth規格にいう「ペアリング」の前段階において周辺の発信端末ＩＤ１１２を探索して受け付ける状態になる。
【００４６】
然る後、受信端末１０４は、受信部１１８が発信端末１０２からの発信端末ＩＤ１１２を受信するのを待つ（Ｓ１０２）。発信端末ＩＤ１１２を送信する発信端末１０２を所持する被捜索者Ｈあるいは捜索対象でない者（捜索非対象者）Ｎが受信端末１０４に近づいてくると（図１）、当該受信端末１０４は発信端末ＩＤ１１２を受信する（Ｓ１０２で「Ｙｅｓ」）。受信部１１８が発信端末ＩＤ１１２を受信すると、当該受信端末１０４のＣＰＵ１３０は、記憶媒体１２２から被捜索者リストＬを取りだし、受信した発信端末ＩＤ１１２を当該被捜索者リストＬと突き合わせる（Ｓ１０３）。
【００４７】
突き合わせの結果、受信した発信端末ＩＤ１１２が被捜索者リストＬの被捜索者発信端末ＩＤと一致しない場合（受信した発信端末ＩＤ１１２が捜索非対象者Ｎのものであった場合。つまり、Ｓ１０４で「Ｎｏ」）、ＣＰＵ１３０は、受信した発信端末ＩＤ１１２を破棄し、再び、受信部１１８に発信端末ＩＤ１１２の受信を開始させる（Ｓ１０１）。
【００４８】
突き合わせの結果、受信した発信端末ＩＤ１１２が被捜索者リストＬの被捜索者発信端末ＩＤと一致する場合（受信した発信端末ＩＤ１１２が被捜索者Ｈのものであった場合。つまり、Ｓ１０４で「Ｙｅｓ」）、ＣＰＵ１３０は、ＧＰＳ受信部１２８を用いてＧＰＳ衛星ＧからＧＰＳ信号を受信し、当該受信端末１０４のＧＰＳ位置情報を入手する（Ｓ１０６）。なお、ＧＰＳ位置情報の入手に先立って（あるいはその後で）、被捜索者Ｈが近辺にいることを捜索協力者Ｋに知らせるため、受信端末１０４の表示画面１３１に「被捜索者が近くにいます」等の表示をするようにしてもよい（Ｓ１０５）。
【００４９】
ＧＰＳ位置情報を入手した後、ＣＰＵ１３０は、捜索支援プログラムＰに記載された命令に基づき、受信した発信端末ＩＤ１１２と、ＧＰＳ位置情報と、時計１２４から入手した、発信端末ＩＤ１１２の受信時刻とを、通信部１２６を介してサーバ１０８へ送信する（Ｓ１０７）。なお、ＧＰＳ位置情報および受信時刻の送信は必須ではなく、少なくとも受信した発信端末ＩＤ１１２を送信すればよい。また、受信端末１０４からサーバ１０８に送信する情報を総称して「被捜索者発見情報」という。
【００５０】
発信端末ＩＤ１１２と、ＧＰＳ位置情報と、受信時刻とを受け取ったサーバ１０８のＣＰＵ１４０は、通信部１３８を介してこれらを捜索依頼者用端末１１０へ送信する（Ｓ１０８）。なお、サーバ用リストＬＳに、受信した発信端末ＩＤ１１２に紐づけされた「被捜索者名」が記載されている場合、ＣＰＵ１４０は、当該「被捜索者名」も含めて捜索依頼者用端末１１０へ送信してもよい。さらに、サーバ用リストＬＳに、受信した発信端末ＩＤ１１２に紐づけされた「関係者名」や「関係者連絡先」が記載されている場合、ＣＰＵ１４０は、当該「関係者名」や「関係者連絡先」も含めて捜索依頼者用端末１１０へ送信してもよいし、受信した発信端末ＩＤ１１２、ＧＰＳ位置情報、受信時刻、および被捜索者名のいずれか１つ以上を例えば「関係者連絡先」に記載されたメールアドレスにも送信してもよい。
【００５１】
捜索依頼者用端末１１０のＣＰＵ１５０は、通信部１４８を介して受け取ったこれら情報を画面に表示する等して捜索依頼者Ｓに提供する（ＧＰＳ位置情報と地図データとを組み合わせて、地図データ上にＧＰＳ位置情報を示した情報を提供してもよい。）。捜索依頼者Ｓが警察、自治体、あるいはＮＰＯ等の場合、被捜索者Ｈを保護するため、直ちに、ＧＰＳ位置情報が示す場所に担当者を派遣することになる。また、これとともに、予めサーバ用リストＬＳ等から入手しておいた被捜索者Ｈの関係者（親族等）に被捜索者Ｈの位置が判ったことを知らせるようにしてもよい。
【００５２】
＜捜索支援システムの特徴＞
実施形態によれば、小型で信号が届く距離が短い発信端末１０２とキャリア等の固定基地局１０６との間を受信端末１０４が中継するようになっている。このため、発信端末１０２と比べて長距離で固定基地局１０６との交信が可能であり、かつ、現在広く普及している携帯電話等を受信端末１０４とし、これら受信端末１０４をあたかも「移動式基地局」として使用することにより、複数の受信端末１０４で発信端末１０２からの発信端末ＩＤ１１２を受信する「エリア」を固定基地局１０６ごとに構成できるとともに、高価な固定基地局１０６の追加が不要となる。これにより、小型の発信端末１０２を用いて、広いエリアで信頼性が高く、かつ、低コストの検索支援システム１００を構築することができる。
【００５３】
また、発信端末１０２から送信される発信端末ＩＤ１１２にBluetooth規格を使用することにより、現在、安価で大量に市場に出回っているBluetooth規格が適用された機器を発信端末１０２として使用することができるので、捜索支援システム１００をより安価で構築できる。また、Bluetooth規格は、近年、あらゆる機器に搭載されるようになってきているので、捜索支援システム１００の拡張性をより高めることができる。さらに、Bluetooth規格に使用される電力は１０ｍＷ程度と小さく、人体への悪影響はほとんど無いと言われているので、より安全性の高い捜索支援システム１００を構築できる。
【００５４】
また、受信端末１０４は、発信端末１０２からの発信端末ＩＤ１１２を受信するのみで、発信端末１０２との間で交信を行わないようになっているので、受信端末１０４は、短時間に多数の発信端末１０２からの発信端末ＩＤ１１２と被捜索者リストＬとの突き合わせを行うことができる。
【００５５】
＜変形例＞
上述した実施形態では、受信端末１０４が受信した発信端末ＩＤ１１２を当該受信端末１０４内で被捜索者リストＬと突き合わせるようにしていたが、以下に説明するように、受信した発信端末ＩＤ１１２をサーバ１０８内でサーバ用リストＬＳと突き合わせるようにしてもよい。
【００５６】
このような場合について、図１０を用いて説明する。捜索依頼者Ｓが捜索依頼者用端末１１０を用いてサーバ１０８にアクセスし、捜索したい被捜索者発信端末ＩＤとパスワードＰＷを入力する（Ｓ０６１）。
【００５７】
然る後、サーバ１０８のＣＰＵ１４０は、記憶媒体１３４に格納されたサーバ用リストＬＳを参照し、アクセスされた被捜索者発信端末ＩＤおよびパスワードＰＷを確認する（Ｓ０６２）。このとき、サーバ用リストＬＳに「被捜索者発信端末ＩＤ」および「パスワードＰＷ」のみが記載されている場合（Ｓ０６３で「Ｙｅｓ」）、ＣＰＵ１４０は、サーバ用リストＬＳにおいて、当該「被捜索者発信端末ＩＤ」を「捜索中」にする（Ｓ０６４）。また、サーバ用リストＬＳにおいて、複数の「被捜索者発信端末ＩＤ」と紐付けた形で「被捜索者名」が記載されている場合（Ｓ０６３で「Ｎｏ」）、当該「被捜索者名」に紐付けられた全ての「被捜索者発信端末ＩＤ」を「捜索中」にする（Ｓ０６５）。
【００５８】
続いて、図１１に示すように、各捜索協力者Ｋが所持する受信端末１０４のＣＰＵ１３０が、捜索支援プログラムＰに記載された命令に基づき、受信部１１８を稼働させることにより、発信端末１０２から発信される発信端末ＩＤ１１２の受信を開始する（Ｓ２０１）。すなわち、捜索支援システム１００における発信端末ＩＤ１１２にBluetooth規格が使用される場合、受信端末１０４はBluetooth規格にいう「ペアリング」を受け付ける状態になる。
【００５９】
然る後、ＣＰＵ１３０は、受信部１１８が発信端末１０２からの発信端末ＩＤ１１２を受信するのを待つ（Ｓ２０２）。発信端末ＩＤ１１２を送信する発信端末１０２を所持する被捜索者Ｈあるいは捜索対象でない者（捜索非対象者）Ｎが受信端末１０４に近づいてくると、当該受信端末１０４は発信端末ＩＤ１１２を受信する（Ｓ２０２で「Ｙｅｓ」）。
【００６０】
発信端末ＩＤ１１２を受信すると、ＣＰＵ１３０は、捜索支援プログラムＰに記載された命令に基づき、ＧＰＳ受信部１２８を用いてＧＰＳ衛星ＧからＧＰＳ信号を受信し、受信端末１０４のＧＰＳ位置情報を入手する（Ｓ２０３）。
【００６１】
ＧＰＳ位置情報を入手した後、ＣＰＵ１３０は、捜索支援プログラムＰに記載された命令に基づき、受信した発信端末ＩＤ１１２と、ＧＰＳ位置情報と、時計１２４から入手した、発信端末ＩＤ１１２の受信時刻とを、通信部１２６を介してサーバ１０８へ送信する（Ｓ２０４）。なお、ＧＰＳ位置情報および受信時刻の送信は必須ではなく、少なくとも受信した発信端末ＩＤ１１２を送信すればよい。
【００６２】
発信端末ＩＤ１１２と、ＧＰＳ位置情報と、受信時刻とを受け取ったサーバ１０８のＣＰＵ１４０は、記憶媒体１３４に格納されたサーバ用リストＬＳを取りだし、予め「捜索中」になっている被捜索者発信端末ＩＤと受信した発信端末ＩＤ１１２とを突き合わせていく（Ｓ２０５）。
【００６３】
突き合わせの結果、受信した発信端末ＩＤ１１２が、「捜索中」になっている被捜索者発信端末ＩＤのいずれとも一致しない場合（受信した発信端末ＩＤ１１２が捜索非対象者Ｎのものであった場合。つまり、Ｓ２０６で「Ｎｏ」）、ＣＰＵ１４０は、受信した発信端末ＩＤ１１２、ＧＰＳ位置情報、および受信時刻を破棄し、再び、受信端末１０４に発信端末ＩＤ１１２の受信を開始させる。なお、サーバ１０８で突き合わせを行っている最中でも受信端末１０４による発信端末ＩＤ１１２の受信を継続させてもよい。
【００６４】
突き合わせの結果、受信した発信端末ＩＤ１１２が、「捜索中」になっている被捜索者発信端末ＩＤのいずれかと一致した場合（受信した発信端末ＩＤ１１２が被捜索者Ｈのものであった場合。つまり、Ｓ２０６で「Ｙｅｓ」）、ＣＰＵ１４０は、発信端末ＩＤ１１２と、ＧＰＳ位置情報と、受信時刻とを通信部１３８を介して捜索依頼者用端末１１０へ送信する（Ｓ２０７）。なお、サーバ用リストＬＳに、受信した発信端末ＩＤ１１２に紐づけされた「被捜索者名」が記載されている場合、ＣＰＵ１４０は、当該「被捜索者名」も含めて捜索依頼者用端末１１０へ送信してもよい。さらに、サーバ用リストＬＳに、受信した発信端末ＩＤ１１２に紐づけされた「関係者名」や「関係者連絡先」が記載されている場合、ＣＰＵ１４０は、当該「関係者名」や「関係者連絡先」も含めて捜索依頼者用端末１１０へ送信してもよいし、受信した発信端末ＩＤ１１２、ＧＰＳ位置情報、受信時刻、および被捜索者名のいずれか１つ以上を例えば「関係者連絡先」に記載されたメールアドレスにも送信してもよい。
【００６５】
また、サーバ用リストＬＳにおいて、「被捜索者名」に紐付けた形で、「コメント」欄を追加してもよい。例えば、捜索依頼者Ｓが捜索依頼者用端末１１０を介して当該コメント欄に被捜索者Ｈの顔、身体、あるいは持ち物の特徴等を入力できるようにする。受信端末１０４のＣＰＵ１３０が被捜索者リストＬに記載された発信端末ＩＤ１１２をサーバ１０８に送信してきたとき、サーバ１０８のＣＰＵ１４０が当該発信端末ＩＤ１１２に対応する被捜索者Ｈに紐付けられた「コメント」をその受信端末１０４に送信し、「コメント」を受け取った受信端末１０４のＣＰＵ１３０が当該「コメント」を表示画面１３１に表示させる。これにより、その受信端末１０４を所持する捜索協力者Ｋが被捜索者Ｈを発見し易くできる。
【００６６】
また、受信端末１０４に捜索支援プログラムＰをダウンロードした捜索協力者Ｋにポイント等を付与することも考えられる。ポイント等を付与することで捜索協力者Ｋの数が増えることにより、捜索支援システム１００のエリアや有効性、確実性をさらに向上させることができる。なお、ポイント等は、捜索依頼者Ｓが支払う捜索料から現金等に交換したり、ポイント等としてデポジットしておき、捜索協力者Ｋが捜索依頼者Ｓとして捜索支援システム１００を利用する際に、捜索料の一部として使用したりすることもできる。これにより、捜索協力者Ｋの数を更に増加させることが期待できる。
【００６７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６８】
１００…捜索支援システム、１０２…発信端末、１０４…受信端末、１０６…固定基地局、１０８…サーバ、１１０…捜索依頼者用端末、１１２…発信端末ＩＤ、１１４…信号発信部、１１６…アンテナ、１１８…受信部、１２０…メモリ、１２２…記憶媒体、１２４…時計、１２６…通信部、１２８…ＧＰＳ受信部、１３０…ＣＰＵ、１３１…表示画面、１３２…メモリ、１３４…記憶媒体、１３６…時計、１３８…通信部、１４０…ＣＰＵ、１４２…メモリ、１４４…記憶媒体、１４６…時計、１４８…通信部、１５０…ＣＰＵ、１５２…表示画面
Ｈ…被捜索者、Ｋ…捜索協力者、Ｇ…ＧＰＳ衛星、Ｌ…被捜索者リスト、Ｐ…捜索支援プログラム、Ｓ…捜索依頼者、ＬＳ…サーバ用リスト、ＰＷ…パスワード、Ｎ…捜索非対象者、ＮＴ…ネットワーク
【図１】
2016014966.tif 000003
【図２】
2016014966.tif 000004
【図３】
2016014966.tif 000005
【図４】
2016014966.tif 000006
【図５】
2016014966.tif 000007
【図６】
2016014966.tif 000008
【図７】
2016014966.tif 000009
【図８】
2016014966.tif 000010
【図９】
2016014966.tif 000011
【図１０】
2016014966.tif 000012
【図１１】
2016014966.tif 000013